(57)【要約】【課題】基線長を十分に確保し、より立体感のある３次元画像を表示するためのカメラ付き携帯電話を提供する【解決手段】携帯電話２は、撮影レンズ２５とＣＣＤイメージセンサとからなる第一デジタルカメラと、撮影レンズ２７とＣＣＤイメージセンサとからなる第２デジタルカメラとが設けられ、第１デジタルカメラと第２デジタルカメラとは携帯電話２の長手方向に所定の間隔を隔てて配置されている。第１デジタルカメラは右眼用の画像信号を取得し、第２デジタルカメラは左眼用の画像信号を取得する。そして、左眼用の画像信号から左眼用の画像データが生成され、右眼用の画像信号から右眼用の画像データが生成される。これらの画像データは使用者がモードボタン２０を押下すると携帯電話内部の記録メモリに記録される。【選択図】        図２
2004242092.tif 000002
【特許請求の範囲】
【請求項１】
長手方向の上部に受話スピーカを備え、長手方向の下部に送話マイクを備えたカメラ付き携帯電話において、
それぞれが撮影レンズと撮像素子とからなり、長手方向に所定の間隔を隔てて組み込まれ、一方が左眼用の被写体の画像信号を生成し、他方が右眼用の被写体の画像信号を生成する一対のデジタルカメラと、取得された左眼用の画像信号から左眼用の画像データを生成し、右眼用の画像信号から右眼用の画像データを生成する生成手段と、生成された左眼用の画像データと右眼用の画像データとを関連付けて記録する記録手段と、を有することを特徴とするカメラ付き携帯電話。
【発明の詳細な説明】
【０００１】
【発明の属する技術分野】
本発明は、カメラ付き携帯電話に関し、さらに詳しくは、被写体を３次元画像で表示するための左眼用の画像データと右眼用の画像データとを取得することができるカメラ付き携帯電話に関するものである。
【０００２】
【従来の技術】
【特許文献１】
特開平１０−１０８１５２
【０００３】
現在、様々な機能を備えた携帯電話が普及している。中でもデジタルカメラを用いて被写体を撮影し、取得した画像データを備え付けの液晶画面に表示したり、相手に送信したりすることができるカメラ付き携帯電話の普及は著しい。ところが、カメラを１つ備えただけの携帯電話では、被写体の２次元の画像データしか取得できず、このため２次元の被写体の画像しか表示されず、迫力や立体感に乏しいものとなってしまう。
【０００４】
３次元画像は立体感や迫力のある画像を表示することができ、３次元画像の表示には、専用のメガネを用いて視差を生じさせるアナグリフ方式などがある。なかでも、左眼用の画像データと右眼用の画像データとから生成した３次元画像データを専用の表示画面に表示して、左眼には左眼用の画像を見せ、右眼には右眼用の画像を見せて３次元画像を表示する両眼の視差を利用する方法は、専用のメガネが不要であり小型化も容易である。特許文献１に記載された発明には、３次元で画像を表示する表示装置を備え、腕に装着できる携帯情報端末が示されている。この携帯情報端末本体の上部に備え付けられた一対のＣＣＤカメラを通して被写体を撮像し、備えられた表示装置に３次元画像を表示するようにしている。
【０００５】
【発明が解決しようとする課題】
しかしながら、所定の距離だけ離れた被写体を撮影するとき、一対のデジタルカメラの相互の距離（以降、基線長と呼ぶ）が短いと、それぞれのデジタルカメラの光軸のなす角度（以降、輻輳角と呼ぶ）は相対的に小さいものとなり、立体感のある３次元画像を表示するために必要な視差（パララックス）が十分に生じた３次元画像データを生成することができず、このため立体感に乏しい３次元画像となってしまう。
【０００６】
本発明は上記の事情に鑑みてなされたものであり、その目的は、基線長を十分に確保し、より立体感のある３次元画像を表示するための左目用の画像データと右目用の画像データとを取得することができるカメラ付き携帯電話を提供することにある。
【０００７】
【課題を解決するための手段】
上記目的を達成するために、本発明のカメラ付き携帯電話では、長手方向の上部に受話スピーカを備え、長手方向の下部に送話マイクを備えたカメラ付き携帯電話において、それぞれが撮影レンズと撮像素子とからなり、長手方向に所定の間隔を隔てて組み込まれ、一方が左眼用の被写体の画像信号を生成し、他方が右眼用の被写体の画像信号を生成する一対のデジタルカメラと、取得された左眼用の画像信号から左眼用の画像データを生成し、右眼用の画像信号から右眼用の画像データを生成する生成手段と、生成された左眼用の画像データと右眼用の画像データとを関連付けて記録する記録手段とを有するようにした。
【０００８】
【発明の実施の形態】
図１に本発明を実施した携帯電話の表側を示す。携帯電話本体２の長手方向の上部には、受話スピーカ４が備えられ、その下には表示画面６が備えられている。表示画面６の下には表示画面に表示されるメニューを選択／実行する十字ボタン８が設けられ、その左隣には通話を開始するためのコールボタン１０が設けられている。また、十字ボタン８の右隣には通話を終了するためのホールドボタン１２が設けられている。
【０００９】
十字ボタン８の下にはダイヤルボタン１５が備えられており、このダイヤルボタン１５を押下して電話番号を入力し、その後コールボタン１０を押して通信を開始する。ダイヤルボタン１５の下には送話マイク１７が設けられており、受話スピーカ４を使用者の耳にあて、送話マイク１７を使用者の口元に置いて相手と通話を行うことができる。
【００１０】
携帯電話本体２の側面にはモードボタン２０が備えられており、カメラの撮影モードを２次元モード（以降、２Ｄモードと省略する）と３次元モード（以降、３Ｄモードと省略する）とを押下することで切り替えることができる。また、３Ｄモードでは、モードボタン２０を押下すると記録動作を実行することができ、これにより被写体を３次元画像で表示するための左眼用の画像データと右眼用の画像データとが記録される。携帯電話２の上部には通信アンテナ２２が備えらており、この通信アンテナ２２を介して所定の電波信号を受信する。
【００１１】
図２に携帯電話２の背面を示す。携帯電話２には、撮影レンズとＣＣＤイメージセンサとからなる一対のデジタルカメラが長手方向に所定の間隔を隔てて組み込まれており、長手方向の上部に第１デジタルカメラが組み込まれ、長手方向の下部に第２デジタルカメラが組み込まれている。第１デジタルカメラの撮影レンズ２５と第２デジタルカメラの撮影レンズ２７とが携帯電話２の背面に露出しており、２Ｄモードで被写体を撮影するときは第１デジタルカメラが使用される。また３Ｄモードで被写体を撮影するときは、撮影レンズ２５から右眼用の被写体を撮影し、撮影レンズ２７から左眼用の被写体を撮影する。撮影レンズ２５と撮影レンズ２７との間には、内蔵された電池を覆う蓋２８が設けられている。
【００１２】
図３に携帯電話２のブロック図を示す。携帯電話を３Ｄモードに切り替えて被写体の左眼用の画像データと右眼用の画像データとを取得するときには、携帯電話２を水平に保持して撮影を行う。第１デジタルカメラ２９は撮影レンズ２５とＣＣＤイメージセンサ３０とからなり、撮影レンズ２５によって結像された被写体像は、ＣＣＤイメージセンサ３０によって画像信号に変換される。生成された画像信号はデータ処理回路３３に入力され、増幅され、二値化されて右眼用の画像データが生成される。生成された右眼用の画像データはフレームメモリ３５に一時的に蓄積される。
【００１３】
また、第２デジタルカメラ３６は撮影レンズ２７とＣＣＤイメージセンサ３７とからなり、撮影レンズ２７によって結像された被写体像はＣＣＤイメージセンサ３７によって画像信号に変換され、生成された画像信号はデータ処理回路３９に入力される。そして画像信号は増幅され、二値化されて左眼用の画像データが生成され、フレームメモリ３５に一時的に蓄積される。ＣＣＤイメージセンサ３０とＣＣＤイメージセンサ３７とは、タイミングジェネレータ（図示省略）によって同時に光電変換が実行されるようになっており、左眼用の画像データと右眼用の画像データとは関連付けられてフレームメモリ３５に蓄積されるようになっている。
【００１４】
右眼用の画像データと左眼用の画像データとを一時的に蓄積するフレームメモリ３５の動作はＣＰＵ４１によって制御されており、ＣＰＵ４１はその他にも音声回路４２なども制御しており、これにより受話スピーカ４と送話マイク１７とが動作している。
【００１５】
フレームメモリ３５に蓄積された右眼用の画像データは、ＬＣＤドライバ４５に入力され、表示画面６に第１デジタルカメラ２９で撮像した被写体が表示される。この画像を見ながら使用者は被写体を決定する。
【００１６】
被写体を決定した後、モードボタン２０を押下すると、フレームメモリ３５に蓄積された左眼用の画像データと右眼用の画像データとは、回転処理回路５３に読み出され、ここで９０°回転処理される。
【００１７】
回転処理回路５３では、回転処理された左眼用の画像データと右眼用の画像データに、これらの画像データのためのデータヘッダと、画像データを識別し、左眼用の画像データと右眼用の画像データとを関連付けするためのデータフラグとが加えられて画像ファイルが構成され、この画像ファイルが記録メモリ５０に記録される。
【００１８】
外部インターフェース（以降、外部Ｉ／Ｆと省略する）５１には、データ出力用のケーブルが接続可能になっている。使用者のボタン操作により、記録メモリ５０に記録された左眼用の画像データと右眼用の画像データとを含んだ画像ファイルは、外部Ｉ／Ｆ５１に接続されたケーブルを通して、外部の３次元画像表示装置や、あるいは専用のプリンタ等に出力される。これにより使用者は被写体の３次元画像を見ることができる。
【００１９】
携帯電話が２Ｄモードのときには、第１デジタルカメラ２９か、あるいは第２デジタルカメラ３６の使用を選択でき、デジタルカメラとデータ処理回路とを用いて被写体の２次元画像データを取得し、取得した２次元画像データはフレームメモリ３５に一時的に蓄積される。生成された２次元画像データはＬＣＤドライバ４５に入力され、表示画面６に被写体の２次元画像が表示される。そして、好みの画像が表示されたときに十字ボタン８を押して２次元画像データを記録メモリ５０に記録する。
【００２０】
使用者のボタン操作により、２次元画像データは無線通信インターフェース（以降、無線通信Ｉ／Ｆと省略する）５５に入力され、ここで２次元画像データは無線信号に変調される。無線信号に変調された２次元画像データはアンテナ２２から相手側へ送信される。また、撮影した２次元画像データをＬＣＤドライバ４５に読み出し、表示画面６に表示して観賞する。
【００２１】
次に上記構成の作用について説明する。携帯電話の長手方向の上部に備えられた受話スピーカ４を使用者の耳にあて、長手方向の下部に備えられた送話マイク１７を使用者の口元に置いて相手と通話を行う。また、カメラとして携帯電話２を用いる場合は、２Ｄモードで被写体から２次元の被写体画像データを取得するか、３Ｄモードで３次元画像を表示するための左眼用の画像データと右眼用の画像データとを取得するかを、モードボタン２０を押して切り替え／選択する。
【００２２】
３Ｄモードで３次元の被写体画像データを取得する場合は、図４に示すように携帯電話２を水平に保持し、モードボタン２０を押圧して３Ｄモードに切り替える。第１デジタルカメラ２９とデータ処理回路３３とによって右眼用の画像データが取得され、第２デジタルカメラ３６とデータ処理回路３９とによって左眼用の画像データが取得される。
【００２３】
生成された右眼用の画像データはＬＣＤドライバ４５を介して表示画面６に表示される。使用者は表示画面６に表示された画像を見て被写体の配置を確認し、好みの画像が表示されたときにモードボタン２０を押下する。すると、左眼用の画像データと右眼用の画像データとは、回転処理回路５３で９０°回転処理され、データフラグとデータヘッダと左眼用の画像データと右眼用の画像データとからなる画像ファイルとして記録メモリ５０に記録される。
【００２４】
記録メモリ５０に記録された画像ファイルは、外部Ｉ／Ｆ５１を通して、外部の３次元画像専用の画像表示装置に読み出され、被写体の３次元画像が表示される。左眼用の画像データと右眼用の画像データとは９０°回転処理されてあるため、正常に表示される。また、３次元画像専用のプリンタに読み出すと、被写体の３次元画像がプリントされる。
【００２５】
上記の実施例では、３Ｄモードにおいて、第１デジタルカメラを通して取得された右眼用の画像データを表示画面に表示して被写体の配置を確認するようにしたが、第２デジタルカメラを通して取得した左眼用の画像データを表示画面に表示するようにしてもよい。このようにしても被写体の配置を確認することができる。
【００２６】
また、上記の実施例ではモードボタンを押下することにより２Ｄモードと３Ｄモードとを切り替えたが、デジタルカメラに姿勢検知素子を内蔵させ、デジタルカメラを水平に保持した状態を自動的に検知するようにしてもよい。デジタルカメラの長手方向が水平方向を向くように保持したときには、２Ｄモードから３Ｄモードに自動的に切り替わり、よりスムーズに３Ｄモードに移行し撮影を実行することができる。
【００２７】
また、２Ｄモード時に、長手方向下側のデジタルカメラを用いて、デジタルカメラを持っている手の指紋の画像データを取得することも可能である。あらかじめ使用者の指紋を携帯電話に記録しておき、デジタルカメラで取得した指紋データと照合し、これにより使用者の確認、及び限定を行うこともできる。
【００２８】
また、デジタルカメラに変倍レンズを組み込み、一対のデジタルカメラのズーム動作を同調して行うようにし、このズーム動作に対応してそれぞれのデジタルカメラの輻輳角を調節する調節手段を設けるようにしてもよい。これにより近くの被写体から遠くの被写体まで、ピントを外すことなく、より広範囲にわたり被写体の左眼用の画像データと右眼用の画像データとを取得することが可能となる。
【００２９】
また、上記の実施例ではデジタルカメラの撮影レンズを携帯電話の背面に露出させたが、本発明はこれに限らず、デジタルカメラの側面に撮影レンズを露出させてもよい。図５に示すように、撮影レンズ６２と撮影レンズ６４とをデジタルカメラ６０の側面に設け、撮像時は、デジタルカメラ６０を胸元に水平に構え、表示画面６５で被写体を確認しながらシャッタボタン６７を押して３次元画像データを記録することができる。
【００３０】
【発明の効果】
以上のように、本発明の携帯電話によれば、長手方向に所定の間隔を隔てて組み込まれた一対のデジタルカメラと、この一対のデジタルカメラにより取得された左眼用の画像信号と右眼用の画像信号とを関連付けて記録する記録手段とを有することにより、基線長を十分に確保することができる。これによって、よりパララックス（視差）の大きな左眼用の被写体画像データと右眼用の被写体画像データとを取得することが可能となり、このため立体感に富んだ３次元画像を提供することができる。
【図面の簡単な説明】
【図１】本発明を実施した携帯電話の表側の斜視図である。
【図２】図１に示した携帯電話の背面の斜視図である。
【図３】携帯電話のブロック図である。
【図４】３次元モード時の携帯電話の使い方を示す説明図である。
【図５】撮影レンズが携帯電話の側面に露呈した携帯電話の斜視図である。
【符号の説明】
４  受話スピーカ
６  表示画面
１７  送話マイク
２５、２７  撮影レンズ
４０  画像処理回路
【図１】
2004242092.tif 000003
【図２】
2004242092.tif 000004
【図３】
2004242092.tif 000005
【図４】
2004242092.tif 000006
【図５】
2004242092.tif 000007